【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
第１記録媒体から映像データを再生する再生手段と、
前記第１記録媒体に記録されている映像データを第２記録媒体に記録する記録手段と、
再生停止の指示を受けると、前記映像データの再生を停止するように前記再生手段を制御する制御手段と、
前記再生停止の指示による前記映像データの再生停止位置を検出し、前記検出した再生停止位置に基づいて、前記映像データの再生を再開するときの再生開始位置を特定するためのレジューム情報を生成する第１の生成手段と、
前記レジューム情報に対応した位置から前記映像データの再生を開始させるための、前記映像データの再生制御情報を生成する第２の生成手段とを備え、
前記記録手段は、前記第１記録媒体に記録されている前記映像データを前記第２記録媒体に記録する場合に、前記第１記録媒体に記録されている映像データと、前記映像データの再生制御情報とを、前記第２記録媒体に記録することを特徴とする記録再生装置。
【請求項２】
前記第１の生成手段は、前記検出した再生停止位置に基づいて前記レジューム情報を更新し、前記第２の生成手段は、前記更新されたレジューム情報に基づいて前記再生制御情報を更新することを特徴とする請求項１記載の記録再生装置。
【請求項３】
前記記録再生装置は、前記第１記録媒体に記録された複数のシーンの前記映像データを予め定められた条件によってグループ化する手段をさらに備え、
前記第２の生成手段は、前記グループ毎に前記再生制御情報を生成し、
前記記録手段は、前記グループ毎に前記第１記録媒体に記録されている映像データを第２記録媒体に記録し、前記第２記録媒体に記録されるグループに対応する再生制御情報を前記第２記録媒体に記録することを特徴とする請求項１又は請求項２記載の記録再生装置。
【請求項４】
被写体の光学像を撮像し、前記映像データを生成して前記第１記録媒体に記録する手段をさらに有することを特徴とする請求項１乃至請求項３のいずれか１項に記載の記録再生装置。
【請求項５】
第１記録媒体から映像データを再生する再生手段と、
前記第１記録媒体に記録されている映像データを第２記録媒体に記録する記録手段とを備える記録再生装置の制御方法であって、
再生停止の指示を受けると、前記映像データの再生を停止するように前記再生手段を制御し、
前記再生停止の指示による前記映像データの再生停止位置を検出し、前記検出した再生停止位置に基づいて、前記映像データの再生を再開するときの再生開始位置を特定するためのレジューム情報を生成し、
前記レジューム情報に対応した位置から前記映像データの再生を開始させるための、前記映像データの再生制御情報を生成し、
前記記録手段が前記第１記録媒体に記録されている映像データを第２記録媒体に記録する場合に、前記第１記録媒体に記録されている映像データと、前記映像データの再生制御情報とを、前記第２記録媒体に記録するようにしたことを特徴とする記録再生装置の制御方法。
【請求項６】
第１記録媒体から複数のシーンの映像データを再生する再生手段と、
前記第１記録媒体に記録されている映像データを第２記録媒体に記録する記録手段と、
再生停止の指示を受けると、前記映像データの再生を停止するように前記再生手段を制御する制御手段と、
前記再生停止の指示による前記映像データの再生停止位置を検出し、前記検出した再生停止位置に基づいて、前記映像データの再生を再開するときの再生開始位置を特定するためのレジューム情報を生成する第１の生成手段と、
前記レジューム情報に対応した位置から所定の順序で前記複数のシーンの映像データを再生するよう前記映像データの再生手順を制御する再生制御情報を生成する第２の生成手段とを備え、
前記記録手段は、前記第１記録媒体に記録されている前記映像データを前記第２記録媒体に記録する場合に、前記第１記録媒体に記録されている映像データと、前記再生制御情報とを、前記第２記録媒体に記録することを特徴とする記録再生装置。
【請求項７】
前記第１の生成手段は、前記検出した再生停止位置に基づいて前記レジューム情報を更新し、前記第２の生成手段は、前記更新されたレジューム情報に基づいて前記再生制御情報を更新することを特徴とする請求項６記載の記録再生装置。
【請求項８】
前記記録手段は、前記第１記録媒体に記録されている映像データのうち前記再生制御情報により特定されたシーンの映像データを前記第２記録媒体に記録することを特徴とする請求項６または請求項７記載の記録再生装置。
【請求項９】
前記第１記録媒体に記録された複数のシーンの映像データは予め定められた条件によってグループ化されており、前記第２の生成手段は前記グループ毎に前記再生制御情報を生成することを特徴とする請求項６乃至請求項８のいずれか１項に記載の記録再生装置。
【請求項１０】
第１記録媒体から複数のシーンの映像データを再生する再生手段と、
前記第１記録媒体に記録されている映像データを第２記録媒体に記録する記録手段とを備える記録再生装置の制御方法であって、
再生停止の指示を受けると、前記映像データの再生を停止するように前記再生手段を制御し、
前記再生停止の指示による前記映像データの再生停止位置を検出し、前記検出した再生停止位置に基づいて、前記映像データの再生を再開するときの再生開始位置を特定するためのレジューム情報を生成し、
前記レジューム情報に対応した位置から所定の順序で前記複数のシーンの映像データを再生するよう前記映像データの再生手順を制御する再生制御情報を生成し、
前記記録手段が前記第１記録媒体に記録されている映像データを第２記録媒体に記録する場合に、前記第１記録媒体に記録されている映像データと、前記再生制御情報とを、前記第２の記録媒体に記録するようにしたことを特徴とする記録再生装置の制御方法。
【手続補正２】
【補正対象書類名】明細書
【補正対象項目名】０００８
【補正方法】変更
【補正の内容】
【０００８】
上述の目的は、第１記録媒体から映像データを再生する再生手段と、第１記録媒体に記録されている映像データを第２記録媒体に記録する記録手段と、再生停止の指示を受けると、映像データの再生を停止するように再生手段を制御する制御手段と、再生停止の指示による映像データの再生停止位置を検出し、検出した再生停止位置に基づいて、映像データの再生を再開するときの再生開始位置を特定するためのレジューム情報を生成する第１の生成手段と、レジューム情報に対応した位置から映像データの再生を開始させるための、映像データの再生制御情報を生成する第２の生成手段とを備え、記録手段は、第１記録媒体に記録されている映像データを第２記録媒体に記録する場合に、第１記録媒体に記録されている映像データと、映像データの再生制御情報とを、第２記録媒体に記録することを特徴とする記録再生装置によって達成される。
【手続補正３】
【補正対象書類名】明細書
【補正対象項目名】０００９
【補正方法】変更
【補正の内容】
【０００９】
また、上述の目的は、第１記録媒体から映像データを再生する再生手段と、第１記録媒体に記録されている映像データを第２記録媒体に記録する記録手段とを備える記録再生装置の制御方法であって、再生停止の指示を受けると、映像データの再生を停止するように再生手段を制御し、再生停止の指示による映像データの再生停止位置を検出し、検出した再生停止位置に基づいて、映像データの再生を再開するときの再生開始位置を特定するためのレジューム情報を生成し、レジューム情報に対応した位置から映像データの再生を開始させるための、映像データの再生制御情報を生成し、記録手段が第１記録媒体に記録されている映像データを第２記録媒体に記録する場合に、第１記録媒体に記録されている映像データと、映像データの再生制御情報とを、第２記録媒体に記録するようにしたことを特徴とする記録再生装置の制御方法によっても達成される。
【手続補正４】
【補正対象書類名】明細書
【補正対象項目名】００１０
【補正方法】変更
【補正の内容】
【００１０】
また、上述の目的は、第１記録媒体から複数のシーンの映像データを再生する再生手段と、第１記録媒体に記録されている映像データを第２記録媒体に記録する記録手段と、再生停止の指示を受けると、映像データの再生を停止するように再生手段を制御する制御手段と、再生停止の指示による映像データの再生停止位置を検出し、検出した再生停止位置に基づいて、映像データの再生を再開するときの再生開始位置を特定するためのレジューム情報を生成する第１の生成手段と、レジューム情報に対応した位置から所定の順序で複数のシーンの映像データを再生するよう映像データの再生手順を制御する再生制御情報を生成する第２の生成手段とを備え、記録手段は、第１記録媒体に記録されている映像データを第２記録媒体に記録する場合に、第１記録媒体に記録されている映像データと、再生制御情報とを、第２記録媒体に記録することを特徴とする記録再生装置によっても達成される。
【手続補正５】
【補正対象書類名】明細書
【補正対象項目名】００１１
【補正方法】変更
【補正の内容】
【００１１】
また、上述の目的は、第１記録媒体から複数のシーンの映像データを再生する再生手段と、第１記録媒体に記録されている映像データを第２記録媒体に記録する記録手段とを備える記録再生装置の制御方法であって、再生停止の指示を受けると、映像データの再生を停止するように再生手段を制御し、再生停止の指示による映像データの再生停止位置を検出し、検出した再生停止位置に基づいて、映像データの再生を再開するときの再生開始位置を特定するためのレジューム情報を生成し、レジューム情報に対応した位置から所定の順序で複数のシーンの映像データを再生するよう映像データの再生手順を制御する再生制御情報を生成し、記録手段が第１記録媒体に記録されている映像データを第２記録媒体に記録する場合に、第１記録媒体に記録されている映像データと、再生制御情報とを、第２の記録媒体に記録するようにしたことを特徴とする記録再生装置の制御方法によっても達成される。